(57)【要約】【課題】  観光ガイド情報などの情報と位置や地図とを統一的に処理し、更に、文字、画像、音声などで提供される情報を位置や地図に対応させて利用可能とすることを目的とする。【解決手段】  検索部２４０は、情報記憶部２１０が記憶した情報と情報受信部２３０が受信した情報とから、地図情報記憶部２１１が記憶した地図に関する情報と一致する情報を検索する。位置特定部２５０は、検索部２４０が検索した情報の位置を特定する。また、取得部２６０は、検索部２４０が検索した情報に関連する情報を取得する。さらに、位置取得部２８０は、位置情報端末２００の位置を取得する。表示処理部２７０は、位置特定部２５０が特定した位置と、取得部２６０が取得した情報と、位置取得部２８０が取得した位置とを地図画像記憶部２１３が記憶した地図に示し、表示部２２０に表示する。【選択図】        図１
2006284655.tif 000002
【特許請求の範囲】
【請求項１】
地図を表す地図情報を記憶する地図情報記憶部と、
任意の情報から、上記地図情報記憶部が記憶した上記地図情報に含まれるデータを検索する検索部と、
上記検索部が検索した上記データに対する位置を特定する位置特定部と、
上記位置特定部が特定した上記位置を上記地図情報が表す地図に示して表示する表示部と
を備えることを特徴とする位置情報端末。
【請求項２】
上記検索部が検索した上記データの関連情報を上記任意の情報から取得する取得部を備え、
上記表示部は、上記取得部が取得した上記関連情報を表示すること
を特徴とする請求項１記載の位置情報端末。
【請求項３】
上記位置情報端末は、さらに、
上記位置情報端末の位置を取得する位置取得部を備え、
上記表示部は、上記位置取得部が取得した上記位置を上記地図情報が表す地図に示して表示すること
を特徴とする請求項１記載の位置情報端末。
【請求項４】
上記表示部は、上記位置取得部が取得した上記位置の付近の所定の範囲の上記地図情報が表す地図を表示すること
を特徴とする請求項１記載の位置情報端末。
【請求項５】
上記検索部は、文字データを上記任意の情報として入力し、上記地図情報に含まれるデータに存在する文字列を上記文字データから検索すること
を特徴とする請求項１記載の位置情報端末。
【請求項６】
上記検索部は、画像データを上記任意の情報として入力し、上記地図情報に含まれるデータに存在する画像の一部を上記画像データから検索すること
を特徴とする請求項１記載の位置情報端末。
【請求項７】
上記検索部は、音声データを上記任意の情報として入力し、上記音声データを文字データに変換し、上記地図情報に含まれるデータに存在する文字列を、変換した上記文字データから検索すること
を特徴とする請求項１記載の位置情報端末。
【請求項８】
位置情報を表示する位置情報端末とネットワークを介して接続される位置情報サーバにおいて、
地図を表す地図情報を記憶する地図情報記憶部と、
任意の情報から、上記地図情報記憶部が記憶した上記地図情報に含まれるデータを検索する検索部と、
上記検索部が検索した上記データに対する位置を特定する位置特定部と、
上記位置特定部が特定した上記位置を上記地図情報が表す地図に示したデータである地図表示データを上記位置情報端末へ送信するサーバ送信部と
を備えることを特徴とする位置情報サーバ。
【請求項９】
上記位置情報サーバは、さらに、
上記位置情報端末から上記位置情報端末の位置を受信するサーバ受信部を備え、
上記サーバ送信部は、上記サーバ受信部が受信した上記位置情報端末の位置の付近の所定の範囲の上記地図表示データを送信すること
を特徴とする請求項８記載の位置情報サーバ。
【請求項１０】
位置情報を表示する位置情報端末と位置情報を管理する位置情報サーバとがネットワークを介して接続される位置情報システムにおいて、
上記位置情報サーバは、
地図を表す地図情報を記憶する地図情報記憶部と、
任意の情報から、上記地図情報記憶部が記憶した上記地図情報に含まれるデータを検索する検索部と、
上記検索部が検索した上記データに対する位置を特定する位置特定部と、
上記位置特定部が特定した上記位置を上記地図情報が表す地図に示したデータである地図表示データを上記位置情報端末へ送信するサーバ送信部と
を備え、
上記位置情報端末は、
上記サーバ送信部が送信した上記地図表示データを受信する端末受信部と、
上記端末受信部が受信した上記地図表示データを表示する表示部と
を備えることを特徴とする位置情報システム。
【請求項１１】
上記位置情報端末は、さらに、
上記位置情報端末の位置を取得する位置取得部と、
上記位置取得部が取得した上記位置を上記位置情報サーバへ送信する端末送信部とを備え、
上記位置情報サーバは、さらに、
上記端末送信部が送信した上記位置を受信するサーバ受信部を備え、
上記サーバ送信部は、上記サーバ受信部が受信した上記位置の付近の所定の範囲の上記地図表示データを送信すること
を特徴とする請求項１０記載の位置情報システム。
【請求項１２】
任意の情報から、地図を表す地図情報に含まれるデータを検索する検索ステップと、
上記検索ステップで検索した上記データに対する位置を特定する位置特定ステップと、
上記位置特定ステップで特定した上記位置を上記地図情報が表す地図に示して表示する表示ステップと
をコンピュータに実行させることを特徴とする位置情報プログラム。
【請求項１３】
位置情報を表示する位置情報端末とネットワークを介して接続される位置情報サーバで動作する位置情報プログラムにおいて、
任意の情報から、地図を表す地図情報に含まれるデータを検索する検索ステップと、
上記検索ステップで検索した上記データに対する位置を特定する位置特定ステップと、
上記位置特定ステップで特定した上記位置を上記地図情報が表す地図に示したデータである地図表示データを上記位置情報端末へ送信するサーバ送信ステップと
をコンピュータに実行させることを特徴とする位置情報プログラム。
【発明の詳細な説明】
【技術分野】
【０００１】
本発明は、例えば、高精度測位情報を利用して電子情報端末における情報に位置情報を付加した情報を提供する分野に属する。
【背景技術】
【０００２】
これまで、携帯電話や電子書籍端末等の携帯型電子情報端末でサービスが行なわれる観光ガイド情報は、携帯型電子情報端末の情報記憶部に予め記憶されていた。または、別媒体やネットワークを介して外部から情報を授受していた。これらの観光ガイド情報は、文字および画像での観光ガイド情報を提供していた。しかし、上記観光ガイド情報に、位置情報を付加して自動的にガイドに資する情報を提供するものではなかった。
上記観光ガイド情報の利用者は、観光ガイド情報と地図とを見比べながら観光スポットを探していた。そのため、観光ガイド情報と地図とが統一がとれていない場合があり、不便な情報を使って観光をすることを余儀なくされていた。
特開２００５−５９３８号公報および特開２００４−３１０７１７号公報には、端末に対して通信によって音声、文字、画像による観光ガイド情報を提供する装置とシステムとが開示されている。
【０００３】
また、特開平０８−２９２７１４号公報では、観光ガイド情報に現在地から目的地までの距離とルートを表示することについて開示されている。しかし、観光ガイド情報から地図の情報に該当するデータを検索し、位置情報と組み合わせることは行っていない。
【特許文献１】特開２００５−５９３８号公報
【特許文献２】特開２００４−３１０７１７号公報
【特許文献３】特開平０８−２９２７１４号公報
【特許文献４】特開２００２−７３８７２号公報
【発明の開示】
【発明が解決しようとする課題】
【０００４】
本発明は、観光ガイド情報などの情報と位置や地図とを統一的に処理し、更に、文字、画像、音声などで提供される情報を位置や地図に対応させて利用可能とすることを目的とする。
【課題を解決するための手段】
【０００５】
本発明にかかる位置情報端末は、地図を表す地図情報を記憶する地図情報記憶部と、任意の情報から、上記地図情報記憶部が記憶した上記地図情報に含まれるデータを検索する検索部と、上記検索部が検索した上記データに対する位置を特定する位置特定部と、上記位置特定部が特定した上記位置を上記地図情報が表す地図に示して表示する表示部とを備えることを特徴とする。
【０００６】
また、本発明にかかる位置情報端末は、上記検索部が検索した上記データの関連情報を上記任意の情報から取得する取得部を備え、上記表示部は、上記取得部が取得した上記関連情報を表示することを特徴とする。
【０００７】
さらに、本発明にかかる位置情報端末は、上記位置情報端末の位置を取得する位置取得部を備え、上記表示部は、上記位置取得部が取得した上記位置を上記地図情報が表す地図に示して表示することを特徴とする。
【０００８】
また、さらに、本発明にかかる位置情報端末において、上記表示部は、上記位置取得部が取得した上記位置の付近の所定の範囲の上記地図情報が表す地図を表示することを特徴とする。
【０００９】
また、本発明にかかる位置情報端末において、上記検索部は、文字データを上記任意の情報として入力し、上記地図情報に含まれるデータに存在する文字列を上記文字データから検索することを特徴とする。
【００１０】
さらに、本発明にかかる位置情報端末において、上記検索部は、画像データを上記任意の情報として入力し、上記地図情報に含まれるデータに存在する画像の一部を上記画像データから検索することを特徴とする。
【００１１】
また、さらに、本発明にかかる位置情報端末において、上記検索部は、音声データを上記任意の情報として入力し、上記音声データを文字データに変換し、上記地図情報に含まれるデータに存在する文字列を、変換した上記文字データから検索することを特徴とする。
【００１２】
次に、本発明にかかる位置情報サーバは、位置情報を表示する位置情報端末とネットワークを介して接続される位置情報サーバにおいて、地図を表す地図情報を記憶する地図情報記憶部と、任意の情報から、上記地図情報記憶部が記憶した上記地図情報に含まれるデータを検索する検索部と、上記検索部が検索した上記データに対する位置を特定する位置特定部と、上記位置特定部が特定した上記位置を上記地図情報が表す地図に示したデータである地図表示データを上記位置情報端末へ送信するサーバ送信部とを備えることを特徴とする。
【００１３】
また、本発明にかかる位置情報サーバは、上記位置情報端末から上記位置情報端末の位置を受信するサーバ受信部を備え、上記サーバ送信部は、上記サーバ受信部が受信した上記位置情報端末の位置の付近の所定の範囲の上記地図表示データを送信することを特徴とする。
【００１４】
また、次に、本発明にかかる位置情報システムは、位置情報を表示する位置情報端末と位置情報を管理する位置情報サーバとがネットワークを介して接続される位置情報システムにおいて、上記位置情報サーバは、地図を表す地図情報を記憶する地図情報記憶部と、任意の情報から、上記地図情報記憶部が記憶した上記地図情報に含まれるデータを検索する検索部と、上記検索部が検索した上記データに対する位置を特定する位置特定部と、上記位置特定部が特定した上記位置を上記地図情報が表す地図に示したデータである地図表示データを上記位置情報端末へ送信するサーバ送信部とを備え、上記位置情報端末は、上記サーバ送信部が送信した上記地図表示データを受信する端末受信部と、上記端末受信部が受信した上記地図表示データを表示する表示部とを備えることを特徴とする。
【００１５】
また、本発明にかかる位置情報システムにおいて、上記位置情報端末は、さらに、上記位置情報端末の位置を取得する位置取得部と、上記位置取得部が取得した上記位置を上記位置情報サーバへ送信する端末送信部とを備え、上記位置情報サーバは、さらに、上記端末送信部が送信した上記位置を受信するサーバ受信部を備え、上記サーバ送信部は、上記サーバ受信部が受信した上記位置の付近の所定の範囲の上記地図表示データを送信することを特徴とする。
【００１６】
次に、本発明にかかる位置情報プログラムは、地図を表す地図情報を記憶する地図情報記憶部に地図情報記憶ステップと、任意の情報から、上記地図情報記憶ステップで上記地図情報記憶部に記憶した上記地図情報に含まれるデータを検索する検索ステップと、上記検索ステップで検索した上記データに対する位置を特定する位置特定ステップと、上記位置特定ステップで特定した上記位置を上記地図情報が表す地図に示して表示する表示ステップとをコンピュータに実行させることを特徴とする。
【００１７】
また、本発明にかかる位置情報プログラムは、位置情報を表示する位置情報端末とネットワークを介して接続される位置情報サーバにおいて、地図を表す地図情報を記憶する地図情報記憶部に地図情報記憶ステップと、任意の情報から、上記地図情報記憶ステップで上記地図情報記憶部に記憶した上記地図情報に含まれるデータを検索する検索ステップと、上記検索ステップで検索した上記データに対する位置を特定する位置特定ステップと、上記位置特定ステップで特定した上記位置を上記地図情報が表す地図に示したデータである地図表示データを上記位置情報端末へ送信するサーバ送信ステップとをコンピュータに実行させることを特徴とする。
【発明の効果】
【００１８】
本発明にかかる位置情報端末によれば、別に管理されている任意の情報と位置と地図とを統一的に処理し、更に、文字、画像、音声で提供される観光ガイド情報を位置と地図とに対応させて利用することが可能となる。
【発明を実施するための最良の形態】
【００１９】
以下、本発明を図面に示す実施の形態に基づいて説明する。
【００２０】
実施の形態１．
まず、実施の形態１について説明する。図１は、実施の形態１にかかる位置情報端末２００の機能ブロック図である。
【００２１】
位置情報端末２００は、情報記憶部２１０、地図情報記憶部２１１、位置情報記憶部２１２、地図画像記憶部２１３、表示部２２０、情報受信部２３０、検索部２４０、位置特定部２５０、取得部２６０、表示処理部２７０、位置取得部２８０、入力部２９０を備える。
【００２２】
情報記憶部２１０は、任意の情報を記憶している。任意の情報とは、例えば、観光のガイド情報や電話配線情報などである。地図情報記憶部２１１は、地図に含まれる情報を記憶している。例えば、地名や道路名などの文字データや駅前や観光地などの地図や市町村のマークなどの画像データなどである。位置情報記憶部２１２は、地図情報記憶部２１１が記憶した情報の地図上の位置を記憶する。地図画像記憶部２１３は、地図の画像データを記憶する。地図画像記憶部２１３は、地図情報記憶部２１１に含ませて考えることも可能である。
【００２３】
表示部２２０は、地図情報記憶部２１１や地図画像記憶部２１３などが記憶した情報を表示する。
情報受信部２３０は、外部の情報サーバ５００などからネットワークを介して任意の情報を受信する。ここで、任意の情報とは、情報記憶部２１０が記憶する情報と同様のものを意味する。つまり、任意の情報は、位置情報端末２００が備える情報記憶部２１０で記憶している情報だけでなく、外部の情報サーバ５００などが記憶した情報であっても構わない。すなわち、任意の情報が観光のガイド情報であった場合、任意の情報は、例えば、観光のガイド情報を扱うＷｅｂサイトなどの情報であっても構わない。
検索部２４０は、情報記憶部２１０が記憶している任意の情報や情報受信部２３０が受信した任意の情報から地図情報記憶部２１１が記憶した情報に含まれるものを検索する。つまり、検索部２４０は、情報記憶部２１０が記憶している任意の情報や情報受信部２３０が受信した任意の情報から地図情報記憶部２１１が記憶した情報に含まれるものについて全文検索処理を行い検索する。検索部２４０は、例えば、任意の情報が文字データであった場合、地図情報記憶部２１１が記憶した地名や道路名などの文字列を、任意の情報から検索する。また、検索部２４０は、例えば、任意の情報が画像データであった場合、地図情報記憶部２１１が記憶した地図やマークなど含む画像を、任意の情報から検索する。
位置特定部２５０は、検索部２４０が検索した情報の位置を特定する。位置特定部２５０は、位置情報記憶部２１２を参照することで位置を特定する。
取得部２６０は、検索部２４０が検索した情報に関連した情報を、情報記憶部２１０が記憶している任意の情報や情報受信部２３０が受信した任意の情報から取得する。
表示処理部２７０は、位置特定部２５０が特定した位置と取得部２６０が取得した情報と地図画像記憶部２１３が記憶した地図の画像データとを表示部２２０に表示する処理を行う。また、表示処理部２７０は、後述する位置取得部２８０が取得した位置情報端末２００の位置についても、表示部２２０に表示する処理を行う。
位置取得部２８０は、位置情報端末２００の位置を取得する。位置取得部２８０は、例えば、ＧＰＳ（Ｇｌｏｂａｌ  Ｐｏｓｉｔｉｏｎｉｎｇ  Ｓｙｓｔｅｍ）４００、準天頂衛星４０１、ＰＡＳ（Ｐｏｓｉｔｉｏｎｉｎｇ  Ａｕｇｍｅｎｔａｔｉｏｎ  Ｓｅｒｖｉｃｅｓ、高精度測位サービス）４１０などから、位置情報端末２００の位置情報を取得する。
【００２４】
図２は、実施の形態１にかかる位置情報端末２００の処理の動作を表すフローチャートである。図２に基づいて、位置情報端末２００の処理の動作を説明する。ここでは、情報記憶部２１０が記憶している任意の情報と情報受信部２３０が受信した任意の情報とは、観光のガイド情報であるとする。
【００２５】
情報表示ステップＳ１０１では、表示部２２０は、情報記憶部２１０が記憶している任意の情報や情報受信部２３０が受信した任意の情報を表示する。
【００２６】
検索ステップＳ１０２では、検索部２４０は、表示部２２０が表示した情報から、地図情報記憶部２１１が記憶した情報に含まれるものを検索する。検索部２４０は、例えば、表示部２２０が表示した情報から地図情報記憶部２１１が記憶した観光名所の地名、建造物、遺跡、店舗、人工又は天然の造形物等の観光物の名称などを検索する。
【００２７】
取得ステップＳ１０３では、取得部２６０は、検索部２４０が検索した情報に関連した情報を、情報記憶部２１０が記憶している任意の情報や情報受信部２３０が受信した任意の情報から取得する。取得部２６０は、例えば、検索部２４０が検索した観光名所に該当する観光ガイド情報を取得する。
【００２８】
位置特定ステップＳ１０４では、位置特定部２５０は、位置情報記憶部２１２を参照することで、検索部２４０が検索した情報の位置を特定する。つまり、位置特定部２５０は、検索部２４０が検索した観光名所などの位置を特定する。ここで、特定した位置とは、例えば、緯度と経度とを備えた情報である。
【００２９】
位置取得ステップＳ１０５では、位置取得部２８０は、ＧＰＳ４００やＰＡＳ４１０などから位置情報端末２００の位置を取得する。
【００３０】
地図表示ステップＳ１０６では、表示部２２０は、地図画像記憶部２１３が記憶した地図の画像データを表示する。また、表示される地図の画像データは、あらかじめ設定された位置情報端末２００の位置の付近の所定の範囲である。所定の範囲とは、例えば、位置情報端末２００の位置を中心に半径がいくつまでと指定される範囲などである。
【００３１】
名称表示ステップ（表示ステップ）Ｓ１０７では、表示部２２０は、位置特定部２５０が特定した位置と取得部２６０が取得した情報とを地図画像記憶部２１３が記憶した地図の画像データに示して表示する。図３は、名称表示ステップＳ１０７における表示部２２０の表示例である。
【００３２】
経路表示指示ステップＳ１０８では、入力部２９０は、観光名所などの位置までの距離、道のり、見通し線などを表示部２２０に重畳表示するかを指示する。
【００３３】
経路表示ステップＳ１０９では、表示部２２０は、入力部２９０が経路表示指示ステップＳ１０８で表示すると指示した場合、観光名所などの位置までの距離、道のり、見通し線などを重畳表示する。また、表示部２２０は、位置情報端末２００の位置から観光名所の位置までの目標物に該当する観光名称およびその位置を表示する。図４は、経路表示ステップＳ１０９における表示部２２０の表示例である。
【００３４】
関連情報表示指示ステップＳ１１０では、入力部２９０は、取得部２６０が取得した関連した情報を表示部２２０に重畳表示するかを指示する。
【００３５】
関連情報表示ステップＳ１１１では、表示部２２０は、入力部２９０が関連情報表示指示ステップＳ１１０で表示すると指示した場合、取得部２６０が取得した関連した情報を重畳表示する。
【００３６】
上述した位置情報端末２００は、観光ガイド情報を提供する携帯型電子情報端末装置において、観光ガイド情報の文字データおよび画像データに該当する観光名称を抽出し、各名称に対応する位置情報を表示することを特徴とする携帯型電子情報端末装置である。
【００３７】
上記携帯型電子情報端末装置は、観光ガイド情報を提供する携帯型電子情報端末装置において、観光ガイド情報の文字データおよび画像データに該当する観光名称を抽出し、各名称に対応する位置情報を、観光ガイド情報に重畳表示することを特徴とする。
【００３８】
また、上記携帯型電子情報端末装置は、観光ガイド情報を提供する携帯型電子情報端末装置において、観光名所に対応する位置情報および該携帯型電子情報端末装置の位置情報を重畳表示することを特徴とする。
【００３９】
さらに、上記携帯型電子情報端末装置は、観光ガイド情報を提供する携帯型電子情報端末装置において、観光名所に対応する位置情報と観光ガイド情報および該携帯型電子情報端末装置の位置情報を重畳表示することを特徴とする。
【００４０】
実施の形態１にかかる位置情報端末２００によれば、地図情報と離れて存在する情報を、地図情報と併せて表示することが可能である。
【００４１】
実施の形態２．
次に実施の形態２について説明する。実施の形態２では、実施の形態１における情報記憶部２１０が記憶している任意の情報と情報受信部２３０が受信した任意の情報とが、音声データであった場合の処理を説明する。
【００４２】
図５は、実施の形態２にかかる位置情報端末２００の機能ブロック図である。図５に示す機能ブロック図について、図１に示す機能ブロック図と違いのある部分のみ説明する。
【００４３】
検索部２４０は、音声再生部２４１と音声解析部２４２と照合部２４３とを備える。
音声再生部２４１は、音声データを再生する。音声データは情報記憶部２１０が記憶している任意の情報であっても、情報受信部２３０が外部の情報サーバ５００などからネットワークを介して受信した任意の情報であっても構わない。また、ＣＤ（Ｃｏｍｐａｃｔ
Ｄｉｓｃ）、ＤＶＤ（Ｄｉｇｉｔａｌ  Ｖｅｒｓａｔｉｌｅ  Ｄｉｓｋ）、音声メモリ、外部メモリ媒体、ネットワークを通じて受信した音声情報などの音声データであっても構わない。
音声解析部２４２は、音声再生部２４１で再生した音声データに対して音声解析処理を行い、文字データに変換する。
照合部２４３は、音声データを変換した文字データから地図情報記憶部２１１が記憶した情報に含まれるものを検索する。
図６は、音声データと音声データを変換した文字データとの対応例である。まず、音声再生部２４１は、音声データ６００を再生する。音声解析部２４２は、音声再生部２４１が再生した音声データ６００を解析し、文字データ６１０に変換する。照合部２４３は、文字データ６１０から地図情報記憶部２１１が記憶した情報に含まれる文字列を検索する。ここでは、地図情報記憶部２１１が観光のガイド情報を記憶していることとするため、照合部２４３は、観光名称６２０を検索する。
【００４４】
図７は、実施の形態２にかかる位置情報端末２００の処理の動作を表すフローチャートである。図７に基づいて、位置情報端末２００の処理の動作を説明する。
【００４５】
音声解析ステップＳ２０１では、音声再生部２４１は、情報記憶部２１０が記憶している任意の情報や情報受信部２３０が受信した任意の情報である音声データを再生する。次に、音声解析部２４２は、音声再生部２４１で再生した音声データに対して音声解析処理を行い、文字データに変換する。
【００４６】
検索ステップＳ２０２では、照合部２４３は、音声解析部２４２が音声データを変換した文字データから地図情報記憶部２１１が記憶した情報に含まれるものを検索する。
【００４７】
ステップＳ２０３は実施の形態１のステップＳ１０３と同様である。
【００４８】
情報表示ステップＳ２０４では、表示部２２０は、音声解析部２４２が音声データを変換した文字データを表示する。
【００４９】
ステップＳ２０５からステップＳ２１２は、それぞれ実施の形態１のステップＳ１０４からステップＳ１１１と同様である。
【００５０】
上述した位置情報端末２００は、観光ガイド情報を提供する携帯型電子情報端末装置において、音声による観光ガイド情報から音声解析処理により観光名称を抽出し、該当する観光ガイド情報を表示することを特徴とする携帯型電子情報端末装置である。
【００５１】
実施の形態２にかかる位置情報端末２００によれば、情報記憶部２１０が記憶している任意の情報と情報受信部２３０が受信した任意の情報とが、音声データであった場合においても、音声データを文字データに変換することで地図情報と併せて表示することが可能である。
【００５２】
実施の形態３．
次に実施の形態３について説明する。実施の形態３では、実施の形態１と実施の形態２とにおいて説明した位置情報端末２００は、位置情報端末２００の位置の測定と、情報の表示のみを行う場合について説明する。つまり、その他の処理は、外部のサーバなどで行う。
【００５３】
図８は、実施の形態３にかかる位置情報端末２００と位置情報サーバ３００との機能ブロック図である。図８に示す機能ブロック図について、図１に示す機能ブロック図と違いのある部分のみ説明する。
【００５４】
位置情報端末２００は、表示部２２０、位置取得部２８０、入力部２９０、端末送信部２９１、端末受信部２９２を備える。
表示部２２０、位置取得部２８０、入力部２９０は、図１と同様である。
端末送信部２９１は、位置情報サーバ３００などへ情報の送信を行う。端末受信部２９２は、位置情報サーバ３００などから情報の受信を行う。
【００５５】
位置情報サーバ３００は、情報記憶部２１０、地図情報記憶部２１１、位置情報記憶部２１２、地図画像記憶部２１３、検索部２４０、位置特定部２５０、取得部２６０、位置情報処理部３１０、サーバ通信部３９０を備える。
情報記憶部２１０、地図情報記憶部２１１、位置情報記憶部２１２、地図画像記憶部２１３、検索部２４０、位置特定部２５０、取得部２６０は、図１と同様である。
位置情報処理部３１０は、位置情報端末２００へ送信するデータを、あらかじめ設定された位置情報端末２００の位置の付近の所定の範囲のデータに絞る。
サーバ通信部３９０は、サーバ送信部３９１とサーバ受信部３９２とを備える。サーバ送信部３９１は、位置情報端末２００へ情報の送信を行う。サーバ受信部３９２は、位置情報端末２００などから情報の受信を行う。
【００５６】
図９は、実施の形態３にかかる位置情報端末２００と位置情報サーバ３００との処理の動作を表すフローチャートである。図９に基づいて、位置情報端末２００と位置情報サーバ３００との処理の動作を説明する。
【００５７】
情報送信ステップＳ３０１では、入力部２９０は、情報の表示要求を位置情報サーバ３００へ送信する。情報の表示要求をサーバ受信部３９２が受信すると、サーバ送信部３９１は、情報記憶部２１０が記憶している任意の情報や情報受信部２３０が受信した任意の情報を位置情報端末２００へ送信する。次に、端末受信部２９２は、サーバ送信部３９１が送信した情報を受信する。そして、表示部２２０は、端末受信部２９２が受信した情報を表示する。
【００５８】
検索ステップＳ３０２では、検索部２４０は、サーバ送信部３９１が送信した情報から、地図情報記憶部２１１が記憶した情報に含まれるものを検索する。
【００５９】
ステップＳ３０３とステップＳ３０４とは、それぞれ実施の形態１のステップＳ１０３とステップＳ１０４と同様である。
【００６０】
位置取得ステップＳ３０５では、位置取得部２８０は、ＧＰＳ４００やＰＡＳ４１０などから位置情報端末２００の位置を取得する。そして、端末送信部２９１は、位置取得部２８０が取得した位置の情報を位置情報サーバ３００へ送信する。次に、サーバ受信部３９２は、端末送信部２９１が送信した位置の情報を受信する。
【００６１】
サーバ送信ステップＳ３０６では、サーバ送信部３９１は、地図画像記憶部２１３が記憶した地図の画像データを位置情報端末２００へ送信する。また、送信される地図の画像データは、位置情報端末２００の位置の付近のあらかじめ設定された所定の範囲である。所定の範囲とは、例えば、サーバ受信部３９２が受信した位置の情報が示す位置情報端末２００の位置を中心に半径がいくつまでと指定される範囲などである。
【００６２】
名称送信ステップＳ３０７では、サーバ送信部３９１は、位置情報端末２００の位置と取得部２６０が取得した情報とを地図画像記憶部２１３が記憶した地図の画像データに示した地図表示データを位置情報端末２００へ送信する。次に、端末受信部２９２は、サーバ送信部３９１が送信した情報を受信する。そして、表示部２２０は、端末受信部２９２が受信した情報を表示する。表示例は、実施の形態１と同様に図３である。
【００６３】
経路表示指示ステップＳ３０８では、入力部２９０は、観光名所などの位置までの距離、道のり、見通し線などを表示部２２０に重畳表示するかを指示する。そして、端末送信部２９１は、入力部２９０の指示を位置情報サーバ３００へ送信する。入力部２９０は、例えば、ポインタ等で表示させたい観光名称を選択する。そして、端末送信部２９１は、当該観光名称およびナビゲーション要求コマンドを位置情報サーバ３００へ送信する。次に、サーバ受信部３９２は、端末送信部２９１が送信した指示を受信する。
【００６４】
経路送信ステップＳ３０９では、サーバ送信部３９１は、サーバ受信部３９２が経路表示指示ステップＳ３０８で表示するという指示を受信した場合、観光名所などの位置までの距離、道のり、見通し線などを位置情報端末２００へ送信する。また、サーバ送信部３９１は、位置情報端末２００の位置から観光名所の位置までの目標物に該当する観光名称およびその位置を位置情報端末２００へ送信する。次に、端末受信部２９２は、サーバ送信部３９１が送信した情報を受信する。そして、表示部２２０は、端末受信部２９２が受信した情報を表示する。
【００６５】
関連情報表示指示ステップＳ３１０では、入力部２９０は、取得部２６０が取得した関連した情報を表示部２２０に重畳表示するかを指示する。そして、端末送信部２９１は、入力部２９０の指示を位置情報サーバ３００へ送信する。次に、サーバ受信部３９２は、端末送信部２９１が送信した指示を受信する。
【００６６】
関連情報表示ステップＳ３１１では、サーバ送信部３９１は、入力部２９０が関連情報表示指示ステップＳ３１０で表示すると指示した場合、取得部２６０が取得した関連した情報を位置情報端末２００へ送信する。次に、端末受信部２９２は、サーバ送信部３９１が送信した情報を受信する。そして、表示部２２０は、端末受信部２９２が受信した情報を表示する。
【００６７】
上述した位置情報端末２００と位置情報サーバ３００とは、携帯型電子情報端末装置と観光ガイド情報サーバからなる観光ガイド情報提供システムにおいて、観光ガイド情報サーバで観光ガイド情報の文字データおよび画像データに該当する観光名称、各観光名称に対応する位置情報を抽出し携帯型電子情報端末装置に送信することを特徴とする観光ガイド情報提供システムである。
【００６８】
上記観光ガイド情報提供システムは、携帯型電子情報端末装置と観光ガイド情報サーバからなる観光ガイド情報提供システムにおいて、観光ガイド情報サーバで観光ガイド情報の文字データおよび画像データに該当する観光名称、各観光名称に対応する位置情報、携帯型電子情報端末装置の位置を中心とする観光地図画像を抽出し携帯型電子情報端末装置に送信することを特徴とする。
【００６９】
実施の形態３にかかる位置情報サーバ３００によれば、地図情報と離れて存在する情報を、地図情報と併せた情報とすることが可能である。そして、位置情報端末２００は、位置情報サーバ３００が作成した情報を表示することが可能である。また、位置情報端末２００は、表示する機能と位置を特定する機能のみ備えていることで足りる。
【００７０】
実施の形態４．
次に実施の形態４について説明する。実施の形態４では、実施の形態３における情報記憶部２１０が記憶している任意の情報と情報受信部２３０が受信した任意の情報とが、音声データであった場合の処理を説明する。
【００７１】
実施の形態４では、実施の形態２と同様に、検索部が実施の形態２における音声再生部２４１と音声解析部２４２と照合部２４３とを備えることで実現できる。つまり、以下のようにステップＳ３０１とステップＳ３０２とを変更することで実現可能である。
【００７２】
つまり、情報送信ステップＳ３０１において、情報記憶部２１０が記憶している任意の情報や情報受信部２３０が受信した任意の情報が音声データであった場合に、音声再生部２４１は、情報記憶部２１０が記憶している任意の情報や情報受信部２３０が受信した任意の情報である音声データを再生する。次に、音声解析部２４２は、音声再生部２４１で再生した音声データに対して音声解析処理を行い、文字データに変換する。サーバ送信部３９１は、音声解析部２４２が音声データを変換した文字データを送信する。
【００７３】
また、検索ステップＳ３０２では、照合部２４３は、サーバ送信部３９１が送信した音声解析部２４２が音声データを変換した文字データから、地図情報記憶部２１１が記憶した情報に含まれるものを検索する。
【００７４】
実施の形態４にかかる位置情報サーバ３００によれば、情報記憶部２１０が記憶している任意の情報と情報受信部２３０が受信した任意の情報とが、音声データであった場合においても、音声データを文字データに変換することで地図情報と併せた情報とすることが可能である。そして、位置情報端末２００は、位置情報サーバ３００が作成した情報を表示することが可能である。
【００７５】
上述した実施の形態１から実施の形態４では、情報記憶部２１０が記憶している任意の情報と情報受信部２３０が受信した任意の情報とは、観光のガイド情報であるとした。しかし、情報記憶部２１０が記憶している任意の情報と情報受信部２３０が受信した任意の情報とは、これに限定するわけではない。例えば、地図情報記憶部２１１や地図画像記憶部２１３が記憶する地図の情報がガス管や水道管などの配管地図である場合には、上記の任意の情報は、配管の設計情報などでも構わない。また、他には、地図情報記憶部２１１や地図画像記憶部２１３が記憶する地図の情報が電気や電話の配線地図である場合には、上記の任意の情報は、配線の設計情報などでも構わない。
【００７６】
図１０は、実施の形態における位置情報システム１００の外観の一例を示す図である。
図１０において、位置情報システム１００は、サーバ９１０、ＣＲＴ（Ｃａｔｈｏｄｅ
Ｒａｙ  Ｔｕｂｅ）表示装置９０１、キーボード（Ｋ／Ｂ）９０２、マウス９０３、コンパクトディスク装置（ＣＤＤ）９０５、プリンタ装置９０６、スキャナ装置９０７、データベース９０８、システムユニット９０９を備え、これらはケーブルで接続されている。
さらに、位置情報システム１００は、ＦＡＸ機９３２、電話器９３１とケーブルで接続され、また、ローカルエリアネットワーク（ＬＡＮ）９４２、ゲートウェイ９４１を介してインターネット９４０に接続されている。
また、位置情報システム１００は、インターネット９４０等のネットワークを介し、携帯電話９４３、ＰＤＡ（Ｐｅｒｓｏｎａｌ  Ｄｉｇｉｔａｌ  Ａｓｓｉｓｔａｎｃｅ）９４４と接続されている。
上述した実施の形態において、「位置情報サーバ３００」などは、例えば、サーバ９１０である。また、「〜記憶部」として説明したものは、例えば、データベース９０８である。また、「位置情報端末２００」などは、例えば、システムユニット９０９、携帯電話９４３、ＰＤＡ９４４である。
【００７７】
図１１は、実施の形態における位置情報システム１００のサーバ９１０、データベース９０８、システムユニット９０９などのハードウェア構成の一例を示す図である。
図１１において、位置情報システム１００のサーバ９１０、データベース９０８、システムユニット９０９などは、プログラムを実行するＣＰＵ（Ｃｅｎｔｒａｌ  Ｐｒｏｃｅｓｓｉｎｇ  Ｕｎｉｔ）９１１を備えている。ＣＰＵ９１１は、バス９１２を介してＲＯＭ９１３、ＲＡＭ９１４、通信ボード９１５、ＣＲＴ表示装置９０１、Ｋ／Ｂ９０２、マウス９０３、ＦＤＤ（Ｆｌｅｘｉｂｌｅ  Ｄｉｓｋ  Ｄｒｉｖｅ）９０４、磁気ディスク装置９２０、ＣＤＤ９０５、プリンタ装置９０６、スキャナ装置９０７と接続されている。
ＲＡＭ９１４は、揮発性メモリの一例である。ＲＯＭ９１３、ＦＤＤ９０４、ＣＤＤ９０５、磁気ディスク装置９２０は、不揮発性メモリの一例である。これらは、記憶装置あるいは記憶部の一例である。
通信ボード９１５は、ＦＡＸ機９３２、電話器９３１、ＬＡＮ９４２等に接続されている。
例えば、通信ボード９１５、Ｋ／Ｂ９０２、スキャナ装置９０７、ＦＤＤ９０４などは、入力部２９０の一例である。
また、例えば、通信ボード９１５、ＣＲＴ表示装置９０１などは、出力部の一例である。
【００７８】
ここで、通信ボード９１５は、ＬＡＮ９４２に限らず、直接、インターネット９４０、或いはＩＳＤＮ等のＷＡＮ（ワイドエリアネットワーク）に接続されていても構わない。直接、インターネット９４０、或いはＩＳＤＮ等のＷＡＮに接続されている場合、位置情報システム１００は、インターネット９４０、或いはＩＳＤＮ等のＷＡＮに接続され、ゲートウェイ９４１は不用となる。
磁気ディスク装置９２０には、オペレーティングシステム（ＯＳ）９２１、ウィンドウシステム９２２、プログラム群９２３、ファイル群９２４が記憶されている。プログラム群９２３は、ＣＰＵ９１１、ＯＳ９２１、ウィンドウシステム９２２により実行される。
【００７９】
上記プログラム群９２３には、上述した実施の形態の説明において「〜部」として説明した機能を実行するプログラムが記憶されている。プログラムは、ＣＰＵ９１１により読み出され実行される。
ファイル群９２４には、上述した実施の形態の説明において、「〜情報」、「〜指示」として説明したものが、「〜ファイル」として記憶されている。
また、上述した実施の形態の説明において説明したフローチャートの矢印の部分は主としてデータの入出力を示し、そのデータの入出力のためにデータは、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体に記録される。あるいは、信号線やその他の伝送媒体により伝送される。
【００８０】
また、上述した実施の形態の説明において「〜部」として説明したものは、ＲＯＭ９１３に記憶されたファームウェアで実現されていても構わない。或いは、ソフトウェアのみ、或いは、ハードウェアのみ、或いは、ソフトウェアとハードウェアとの組合せ、さらには、ファームウェアとの組合せで実施されても構わない。
【００８１】
また、上述した実施の形態を実施するプログラムは、また、磁気ディスク装置９２０、ＦＤ（Ｆｌｅｘｉｂｌｅ  Ｄｉｓｋ）、光ディスク、ＣＤ（コンパクトディスク）、ＭＤ（ミニディスク）、ＤＶＤ（Ｄｉｇｉｔａｌ  Ｖｅｒｓａｔｉｌｅ  Ｄｉｓｋ）等のその他の記録媒体による記録装置を用いて記憶されても構わない。
【産業上の利用可能性】
【００８２】
本発明の観光ガイド情報を各種の都市情報、地域情報、あるいは、各種施設内の情報に置き換えることによって、観光ガイドに限らず、各種の位置に関連ある情報に対する案内などに利用することができる。また、地図を配管地図や配線地図などに置き換えることによって、設計情報などと併せて利用することも可能である。
【図面の簡単な説明】
【００８３】
【図１】実施の形態１にかかる位置情報端末２００の機能ブロック図である。
【図２】実施の形態１にかかる位置情報端末２００の処理の動作を表すフローチャートである。
【図３】地図表示ステップＳ１０７における表示部２２０の表示例である。
【図４】経路表示ステップＳ１０９における表示部２２０の表示例である。
【図５】実施の形態２にかかる位置情報端末２００の機能ブロック図である。
【図６】音声データと音声データを変換した文字データの対応例である。
【図７】実施の形態２にかかる位置情報端末２００の処理の動作を表すフローチャートである。
【図８】実施の形態３にかかる位置情報端末２００と位置情報サーバ３００との機能ブロック図である。
【図９】実施の形態３にかかる位置情報端末２００と位置情報サーバ３００と処理の動作を表すフローチャートである。
【図１０】実施の形態における位置情報システム１００の外観の一例を示す図である。
【図１１】実施の形態における位置情報システム１００のサーバ９１０、データベース９０８、システムユニット９０９などのハードウェア構成の一例を示す図である。
【符号の説明】
【００８４】
１００  位置情報システム、２００  位置情報端末、２１０  情報記憶部、２１１  地図情報記憶部、２１２  位置情報記憶部、２１３  地図画像記憶部、２２０  表示部、２３０  情報受信部、２４０  検索部、２４１  音声再生部、２４２  音声解析部、２４３  照合部、２５０  位置特定部、２６０  取得部、２７０  表示処理部、２８０  位置取得部、２９０  入力部、２９１  端末送信部、２９２  端末受信部、３００  位置情報サーバ、３１０  位置情報処理部、３９０  サーバ通信部、３９１  サーバ送信部、３９２  サーバ受信部、４００  ＧＰＳ、４０１  準天頂衛星、４１０  高精度測位サービス、５００  情報サーバ、９０１  ＣＲＴ表示装置、９０２  Ｋ／Ｂ、９０３  マウス、９０４  ＦＤＤ、９０５  ＣＤＤ、９０６  プリンタ装置、９０７  スキャナ装置、９０８  データベース、９０９  システムユニット、９１０  サーバ、９１１  ＣＰＵ、９１２  バス、９１３  ＲＯＭ、９１４  ＲＡＭ、９１５  通信ボード、９２０  磁気ディスク装置、９２１  ＯＳ、９２２  ウィンドウシステム、９２３  プログラム群、９２４  ファイル群、９３１  電話器、９３２  ＦＡＸ機、９４０  インターネット、９４１  ゲートウェイ、９４２  ＬＡＮ。
【図１】
2006284655.tif 000003
【図２】
2006284655.tif 000004
【図３】
2006284655.tif 000005
【図４】
2006284655.tif 000006
【図５】
2006284655.tif 000007
【図６】
2006284655.tif 000008
【図７】
2006284655.tif 000009
【図８】
2006284655.tif 000010
【図９】
2006284655.tif 000011
【図１０】
2006284655.tif 000012
【図１１】
2006284655.tif 000013